(57)【要約】【課題】異なるインクで記録される領域が隣接するような画像に対しても、高速かつ高品位の記録を行う。【解決手段】カラーインク用の第１のノズル列４０１と、ブラックインク用の第２のノズル列４０１とを有し、２つのノズル列が、先頭のノズルが同じ位置となるように走査方向に並べて配置されており、第２のノズル列のノズル数が、第１のノズル列のノズル数の２倍である、記録ヘッドユニットを用いるシリアル型のインクジェット記録装置において、第１のノズル列のみを用いて第１のインクを吐出して記録を行う第１の記録走査を複数回と、第１のノズル列の長さに相当する距離の記録媒体の搬送を複数回と、第２のノズル列のうち第１のノズル列に含まれるノズルの数の複数倍のノズルのみを用いて第２のインクを吐出して記録を行う第２の記録走査を１回と、の組合せを単位として画像の記録を行う。【選択図】　図８
2004074511.tif 000002
【特許請求の範囲】
【請求項１】
第１のインクを吐出するノズルが複数配列された第１のノズル列と、第２のインクを吐出するノズルが複数配列された第２のノズル列とを有する記録ヘッドユニットを、ノズルの配列方向と交差する主走査方向に沿って記録媒体に対して走査させて記録を行う動作と、前記主走査方向と直交する副走査方向へ沿って記録媒体を搬送する動作とを行って記録媒体に対する記録を行うインクジェット記録装置であって、
前記第１のノズル列と前記第２のノズル列とは、前記記録媒体の搬送方向に関して先頭のノズルが同じ位置となるように、前記走査の方向に並べて配置されており、前記第２のノズル列に含まれるノズルの数が、前記第１のノズル列に含まれるノズルの数の２倍以上であり、
前記第１のノズル列のみを用いて前記第１のインクを吐出して記録を行う第１の記録走査を複数回と、前記第１のノズル列の長さに相当する距離の記録媒体の搬送を複数回と、前記第２のノズル列の前記第１のノズル列に含まれるノズルの数の複数倍のノズルのみを用いて前記第２のインクを吐出して記録を行う第２の記録走査を１回と、の組合せを単位として画像の記録を行う記録制御手段を備えることを特徴とするインクジェット記録装置。
【請求項２】
前記記録制御手段は、走査を往復両方向に行って画像の記録を行うことを特徴とする請求項１に記載のインクジェット記録装置。
【請求項３】
前記第２のインクを吐出するノズルは、前記第１のインクを吐出するノズルよりも１回の吐出量が多いことを特徴とする請求項１又は２に記載のインクジェット記録装置。
【請求項４】
前記第２のインクが、前記第１のインクよりも記録媒体に対する浸透性が小さいことを特徴とする請求項１から３のいずれか１項に記載のインクジェット記録装置。
【請求項５】
前記第２のインクのブリストウ法におけるＫａ値が、前記第１のインクのブリストウ法におけるＫａ値よりも小さいことを特徴とする請求項４に記載のインクジェット記録装置。
【請求項６】
前記第２のインクがブラックインクであり、前記第１のインクがカラー記録用のインクであることを特徴とする請求項１から５のいずれか１項に記載のインクジェット記録装置。
【請求項７】
前記第２のノズル列に含まれるノズルの数が、前記第１のノズル列に含まれるノズルの数の２倍であることを特徴とする請求項１から６のいずれか１項に記載のインクジェット記録装置。
【請求項８】
前記記録制御手段は、前記第２の記録走査、前記第１の記録走査、前記記録媒体の前記距離の搬送、前記第１の記録走査、及び前記記録媒体の前記距離の搬送を順に行って画像の記録を行うことを特徴とする請求項７に記載のインクジェット記録装置。
【請求項９】
前記記録制御手段は、前記第１の記録走査、前記第２の記録走査、前記記録媒体の前記距離の搬送、前記第１の記録走査、及び前記記録媒体の前記距離の搬送を順に行って画像の記録を行うことを特徴とする請求項７に記載のインクジェット記録装置。
【請求項１０】
記録すべき画像に、前記第１のインクで記録される領域と前記第２のインクで記録される領域とが隣接する部分があるか否かを判定する判定手段を更に備え、前記判定手段によって前記隣接する部分があると判定されたときに、前記記録制御手段による画像の記録が行われるように構成されていることを特徴とする請求項１から９のいずれか１項に記載のインクジェット記録装置。
【請求項１１】
第１のインクを吐出するノズルが複数配列された第１のノズル列と、第２のインクを吐出するノズルが複数配列された第２のノズル列とを有し、前記第１のノズル列と前記第２のノズル列とは、記録媒体の搬送方向に関して先頭のノズルが同じ位置となるように、ノズルの配列方向と交差する方向に並べて配置されており、前記第２のノズル列に含まれるノズルの数が、前記第１のノズル列に含まれるノズルの数の２倍以上である、記録ヘッドユニットを、前記ノズルの配列方向と交差する主走査方向へ沿って記録媒体に対して走査させて記録を行う動作と、前記主走査方向と直交する副走査方向へ沿って記録媒体を搬送する動作とを行って記録媒体に対する記録を行うインクジェット記録方法であって、
前記第１のノズル列のみを用いて前記第１のインクを吐出して記録を行う第１の記録走査を複数回と、前記第１のノズル列の長さに相当する距離の記録媒体の搬送を複数回と、前記第２のノズル列のうち前記第１のノズル列に含まれるノズルの数の複数倍のノズルのみを用いて前記第２のインクを吐出して記録を行う第２の記録走査を１回と、の組合せを単位として画像の記録を行うことを特徴とするインクジェット記録方法。
【請求項１２】
第１のインクを吐出するノズルが複数配列された第１のノズル列と、第２のインクを吐出するノズルが複数配列された第２のノズル列とを有する記録ヘッドユニットを、ノズルの配列方向と交差する主走査方向に沿って記録媒体に対して走査させて記録を行う動作と、前記主走査方向と直交する副走査方向へ沿って記録媒体を搬送する動作とを行って記録媒体に対する記録を行うインクジェット記録装置であって、
前記第１のノズル列と前記第２のノズル列とは、前記記録媒体の搬送方向に関して先頭のノズルが同じ位置となるように、前記走査の方向に並べて配置され、前記第２のノズル列の前記副走査方向における長さが、前記第１のノズル列の前記副走査方向における長さの２倍以上であり、
前記第１のノズル列のみを用いて前記第１のインクを吐出して記録を行う第１の記録走査を複数回と、前記第１のノズル列の副走査方向における長さに相当する距離の記録媒体の搬送を複数回と、前記第２のノズル列に配列されるノズルのうち前記第１のノズル列の副走査方向における長さの複数倍に対応するノズルのみを用いて前記第２のインクを吐出して記録を行う第２の記録走査を１回と、の組合せを単位として画像の記録を行う記録制御手段を備えることを特徴とするインクジェット記録装置。
【請求項１３】
第１のインクを吐出するノズルが複数配列された第１のノズル列と、第２のインクを吐出するノズルが複数配列された第２のノズル列とを有し、前記第１のノズル列と前記第２のノズル列とは、記録媒体の搬送方向に関して先頭のノズルが同じ位置となるように、ノズルの配列方向と交差する主走査方向に並べて配置されており、前記主走査方向と直交する副走査方向における前記第２のノズル列の長さが、前記第１のノズル列の前記副走査方向における長さの２倍以上である、記録ヘッドユニットを、前記主走査方向へ沿って記録媒体に対して走査させて記録を行う動作と、前記副走査方向へ沿って記録媒体を搬送する動作とを行って記録媒体に対する記録を行うインクジェット記録方法であって、
前記第１のノズル列のみを用いて前記第１のインクを吐出して記録を行う第１の記録走査を複数回と、前記第１のノズル列の副走査方向における長さに相当する距離の記録媒体の搬送を複数回と、前記第２のノズル列に配列されるノズルのうち前記第１のノズル列の副走査方向における長さの複数倍に対応するノズルのみを用いて前記第２のインクを吐出して記録を行う第２の記録走査を１回と、の組合せを単位として画像の記録を行うことを特徴とするインクジェット記録方法。
【発明の詳細な説明】
【０００１】
【発明の属する技術分野】
本発明はインクジェット記録装置及びインクジェット記録方法に関し、特に、第１のインクを吐出するノズルが複数配列された第１のノズル列と、第２のインクを吐出するノズルが複数配列された第２のノズル列とを有する記録ヘッドユニットを、ノズルの配列方向と交差する方向に記録媒体上で走査させて記録を行うインクジェット記録装置及びインクジェット記録方法に関する。
【０００２】
【従来の技術】
プリンタ、複写機、ファクシミリ等の機能を有する記録装置、あるいはコンピューターやワードプロセッサ等を含む複合型電子機器やワークステーションなどの出力機器として用いられる記録装置は、画像情報（文字情報等を含む）に基づいて用紙やプラスチック薄板等の被記録媒体に画像（文字等を含む）を記録していくように構成されている。このような記録装置は、記録方式により、インクジェット式、ワイヤドット式、サーマル式、レーザービーム式等に分けることができる。
【０００３】
上記記録装置のうち、インクジェット式の記録装置（インクジェット記録装置）は、記録手段（記録ヘッド）から記録媒体にインクを吐出して記録を行うものであり、他の記録方式に比べて高精細化が容易でしかも高速で静粛性に優れ、かつ安価であるという優れた特徴を有する。一方で、カラー化のニーズも高まりつつあり、カラーインクジェット記録装置も数多く開発されている。インクジェット記録装置は、記録速度の向上のため、複数の記録素子を集積配列してなる記録ヘッドとして、インク吐出部としてのインク吐出口（ノズル）及び液路を複数集積したものを用い、さらにカラー対応として、複数個の記録ヘッドを備えたものが一般的である。
【０００４】
図１は一般的なインクジェット記録装置における、記録ヘッドで記録紙面上を記録していく際のプリンタ部の構成を示したものである。同図において、１０１はインクカートリッジである。これらは、４色のカラーインク、すなわちブラック、シアン、マゼンタ、イエローのインクをそれぞれ収容するインクタンクと、それぞれのインクを吐出する吐出口を有する記録ヘッド１０２より構成されている。この記録ヘッド１０２上に配列された吐出口の様子をｚ方向から示したものが図２であり、２０１は記録ヘッド１０２上に複数配列された吐出口である。
【０００５】
再び図１に戻ると、１０３は紙送りローラで１０４の補助ローラとともに記録紙Ｐを抑えながら図の矢印の方向に回転し、記録紙Ｐをｙ方向に随時送っていく。また１０５は給紙ローラであり記録紙の給紙を行うとともに、１０３、１０４と同様、記録紙Ｐを抑える役割も果たす。１０６は４つのインクカートリッジを支持し、記録とともにこれらを移動させるキャリッジである。これは記録を行っていないとき、あるいは記録ヘッドの回復作業などを行うときには図の点線で示した位置のホームポジション（ｈ）に待機するようになっている。
【０００６】
記録開始前、図の位置（ホームポジション）にあるキャリッジ１０６は、記録開始命令がくると、ｘ方向に移動しながら、記録ヘッド１０２上の複数の吐出口２０１により記録を行う。紙面端部までデータの記録が終了するとキャリッジは元のホームポジションに戻り、再びｘ方向への記録を行う。
【０００７】
近年、様々な画像の記録にインクジェット記録装置が用いられるようになったが、これに伴い、特定の条件で記録画像の品質や品位が低下することが問題となっている。
【０００８】
例えば、ブラック画像とカラー画像とが接する領域では、複数種類のインクが記録媒体上に短時間に吐出されると、記録媒体にそれらのインクが吸収される前にインク同士が混ざり合うことにより、色ムラ等が発生して記録画像の品位が低下する。
【０００９】
このような画像の色ムラに対処する方法として、特開平０６−２１０８７７号公報には、ブラック画像とカラー画像とが接する領域に対して、ブラックの記録とカラーの記録とを別の主走査で記録し、色ムラを防止した高品位な画像を記録する技術が開示されている。
【００１０】
【発明が解決しようとする課題】
しかしながら、特開平０６−２１０８７７号公報に記載された技術は、ブラックの記録で使用するノズル幅とカラーの記録で使用するノズル幅とを、ほぼ同じ幅にすると共に、それぞれの記録の間の経過時間を調整するものである。
【００１１】
このため、これとは別の構成でブラック画像とカラー画像とが接する領域がある画像をインクジェット記録装置で記録する際に、どのようにして記録画像の品位低下を防止するのかが問題となっている。
【００１２】
更に、上記公報に記載された技術で記録すると、カラーの記録で使用するノズル幅が小さい場合には、記録時間が長くなってしまうという問題も生じる。
【００１３】
本発明は以上のような状況に鑑みてなされたものであり、異なるインクで記録される領域が隣接するような画像に対しても、高速かつ高品位の記録を行うことが可能な、インクジェット記録装置及びインクジェット記録方法を提供することを目的とする。
【００１４】
【課題を解決するための手段】
上記目的を達成するために本発明の一態様のインクジェット記録装置は、第１のインクを吐出するノズルが複数配列された第１のノズル列と、第２のインクを吐出するノズルが複数配列された第２のノズル列とを有する記録ヘッドユニットを、ノズルの配列方向と交差する方向に記録媒体上で走査させて記録を行うインクジェット記録装置であって、
前記第１のノズル列と前記第２のノズル列とは、前記記録媒体の搬送方向に関して先頭のノズルが同じ位置となるように、前記走査の方向に並べて配置されており、前記第２のノズル列に含まれるノズルの数が、前記第１のノズル列に含まれるノズルの数の２倍以上であり、
前記第１のノズル列のみを用いて前記第１のインクを吐出して記録を行う第１の記録走査を複数回と、前記第１のノズル列の長さに相当する距離の記録媒体の搬送を複数回と、前記第２のノズル列の前記第１のノズル列に含まれるノズルの数の複数倍のノズルのみを用いて前記第２のインクを吐出して記録を行う第２の記録走査を１回と、の組合せを単位として画像の記録を行う記録制御手段を備えている。
【００１５】
また、上記目的を達成する本発明の一態様のインクジェット記録方法は、第１のインクを吐出するノズルが複数配列された第１のノズル列と、第２のインクを吐出するノズルが複数配列された第２のノズル列とを有し、前記第１のノズル列と前記第２のノズル列とは、記録媒体の搬送方向に関して先頭のノズルが同じ位置となるように、ノズルの配列方向と交差する方向に並べて配置されており、前記第２のノズル列に含まれるノズルの数が、前記第１のノズル列に含まれるノズルの数の２倍以上である、記録ヘッドユニットを、前記ノズルの配列方向と交差する方向に記録媒体上で走査させて記録を行うインクジェット記録方法であって、
前記第１のノズル列のみを用いて前記第１のインクを吐出して記録を行う第１の記録走査を複数回と、前記第１のノズル列の長さに相当する距離の記録媒体の搬送を複数回と、前記第２のノズル列のうち前記第１のノズル列に含まれるノズルの数の複数倍のノズルのみを用いて前記第２のインクを吐出して記録を行う第２の記録走査を１回と、の組合せを単位として画像の記録を行うことを特徴とする。
【００１６】
すなわち、本発明では、第１のインクを吐出するノズルが複数配列された第１のノズル列と、第２のインクを吐出するノズルが複数配列された第２のノズル列とを有し、第１のノズル列と第２のノズル列とは、記録媒体の搬送方向に関して先頭のノズルが同じ位置となるように、ノズルの配列方向と交差する方向に並べて配置されており、第２のノズル列に含まれるノズルの数が、第１のノズル列に含まれるノズルの数の２倍以上である、記録ヘッドユニットを、ノズルの配列方向と交差する方向に記録媒体上で走査させて記録を行うインクジェット記録装置において、第１のノズル列のみを用いて第１のインクを吐出して記録を行う第１の記録走査を複数回と、第１のノズル列の長さに相当する距離の記録媒体の搬送を複数回と、第２のノズル列のうち第１のノズル列に含まれるノズルの数の複数倍のノズルのみを用いて第２のインクを吐出して記録を行う第２の記録走査を１回と、の組合せを単位として画像の記録を行う。
【００１７】
このようにすると、第１のインクを用いた記録と第２のインクを用いた記録が別の走査で行われるので、第１のインクで記録される領域と第２のインクで記録される領域とが隣接する部分においても、２つのインクが記録媒体に定着する前に混ざり合うことが防止される。
【００１８】
従って、異なるインクで記録される領域が隣接するような画像に対しても、高速かつ高品位の記録を行うことが可能となる。
【００１９】
上記目的を達成する本発明の別の態様のインクジェット記録装置は、第１のインクを吐出するノズルが複数配列された第１のノズル列と、第２のインクを吐出するノズルが複数配列された第２のノズル列とを有する記録ヘッドユニットを、ノズルの配列方向と交差する主走査方向に沿って記録媒体に対して走査させて記録を行う動作と、前記主走査方向と直交する副走査方向へ沿って記録媒体を搬送する動作とを行って記録媒体に対する記録を行うインクジェット記録装置であって、
前記第１のノズル列と前記第２のノズル列とは、前記記録媒体の搬送方向に関して先頭のノズルが同じ位置となるように、前記走査の方向に並べて配置され、前記第２のノズル列の前記副走査方向における長さが、前記第１のノズル列の前記副走査方向における長さの２倍以上であり、
前記第１のノズル列のみを用いて前記第１のインクを吐出して記録を行う第１の記録走査を複数回と、前記第１のノズル列の副走査方向における長さに相当する距離の記録媒体の搬送を複数回と、前記第２のノズル列に配列されるノズルのうち前記第１のノズル列の副走査方向における長さの複数倍に対応するノズルのみを用いて前記第２のインクを吐出して記録を行う第２の記録走査を１回と、の組合せを単位として画像の記録を行う記録制御手段を備える。
【００２０】
更に、上記目的を達成する本発明の別の態様のインクジェット記録方法は、第１のインクを吐出するノズルが複数配列された第１のノズル列と、第２のインクを吐出するノズルが複数配列された第２のノズル列とを有し、前記第１のノズル列と前記第２のノズル列とは、記録媒体の搬送方向に関して先頭のノズルが同じ位置となるように、ノズルの配列方向と交差する主走査方向に並べて配置されており、前記主走査方向と直交する副走査方向における前記第２のノズル列の長さが、前記第１のノズル列の前記副走査方向における長さの２倍以上である、記録ヘッドユニットを、前記主走査方向へ沿って記録媒体に対して走査させて記録を行う動作と、前記副走査方向へ沿って記録媒体を搬送する動作とを行って記録媒体に対する記録を行うインクジェット記録方法であって、
前記第１のノズル列のみを用いて前記第１のインクを吐出して記録を行う第１の記録走査を複数回と、前記第１のノズル列の副走査方向における長さに相当する距離の記録媒体の搬送を複数回と、前記第２のノズル列に配列されるノズルのうち前記第１のノズル列の副走査方向における長さの複数倍に対応するノズルのみを用いて前記第２のインクを吐出して記録を行う第２の記録走査を１回と、の組合せを単位として画像の記録を行う。
【００２１】
【発明の実施の形態】
以下添付図面を参照して本発明の好適な実施形態について詳細に説明する。
【００２２】
本明細書において、「記録」（「プリント」という場合もある）とは、文字、図形等有意の情報を形成する場合のみならず、有意無意を問わず、また人間が視覚で知覚し得るように顕在化したものであるか否かを問わず、広く記録媒体上に画像、模様、パターン等を形成する、または媒体の加工を行う場合も表すものとする。
【００２３】
また、「記録媒体」とは、一般的な記録装置で用いられる紙のみならず、広く、布、プラスチック・フィルム、金属板、ガラス、セラミックス、木材、皮革等、インクを受容可能なものも表すものとする。
【００２４】
さらに、「インク」（「液体」と言う場合もある）とは、上記「記録（プリント）」の定義と同様広く解釈されるべきもので、記録媒体上に付与されることによって、画像、模様、パターン等の形成または記録媒体の加工、或いはインクの処理（例えば記録媒体に付与されるインク中の色剤の凝固または不溶化）に供され得る液体を表すものとする。
【００２５】
図３は、本発明の一実施形態に係るインクジェット記録装置の制御構成を示すブロック図である。なお、本実施形態のインクジェット記録装置の機械的構成は図１に示したものと同様である。すなわち、本実施形態は、記録ヘッドを主走査方向へ沿って記録媒体に対して走査して記録を行う記録動作と、主走査方向と直交する副走査方向へ沿って記録媒体を走査する搬送動作とを行って記録媒体に対する記録を行う記録装置を適用可能である。
【００２６】
図３に示した構成は、メインバスライン３０５に対して夫々アクセスする画像入力部３０３、それに対応する画像信号処理部３０４、中央制御部ＣＰＵ３００といったソフト系処理手段と、操作部３０６、回復系制御回路３０７、インクジェットヘッド温度制御回路３１４、ヘッド駆動制御回路３１５、主走査方向へのキャリッジ駆動制御回路３１６、副走査方向への紙送り制御回路３１７といったハード系処理手段とに大別される。
【００２７】
ＣＰＵ３００は、通常ＲＯＭ３０１とランダムメモリ（ＲＡＭ）３０２を有し、入力情報に対して適正な記録条件を与えて記録ヘッド３１３を駆動して記録を行う。又，ＲＡＭ３０２内には、予めヘッド回復タイミングチャートを実行するプログラムが格納されており、必要に応じて予備吐出条件等の回復条件を回復系制御回路３０７、記録ヘッド、保温ヒータ等に与える。回復系モータ３０８は、前述したような記録ヘッド３１３とこれに対向離間するクリーニングブレード３０９やキャップ３１０、吸引ポンプ３１１を駆動する。ヘッド駆動制御回路３１５は、記録ヘッド３１３のインク吐出用電気熱変換体の駆動条件を実行するもので、通常予備吐出や記録用インク吐出を記録ヘッド３１３に行わせる。
【００２８】
一方、記録ヘッド３１３のインク吐出用の電気熱変換体が設けられている基板には、保温ヒータが設けられており、記録ヘッド内のインク温度を所望設定温度に加熱調整することができる。又、ダイオードセンサ３１２は、同様に前記基板に設けられているもので、実質的な記録ヘッド内部のインク温度を測定するためのものである。ダイオードセンサ３１２も同様に、基板にではなく外部に設けられていても良く記録ヘッドの周囲近傍にあっても良い。
【００２９】
以上のような構成のインクジェット記録装置に基づく、本発明のいくつかの実施形態について以下に説明する。
【００３０】
（第１の実施形態）
図４は、本発明の第１の実施形態に係る記録ヘッドの構成を示す図である。図示されたように、本実施形態では、カラーインク用の記録ヘッド４０１と、ブラックインク用の記録ヘッド４０２とを使用する。カラーインクを吐出する記録ヘッド４０１は、１インチ当たりＮ＝６００個の密度で（６００ｄｐｉ（ｄｏｔｓｐｅｒ　ｉｎｃｈ））、ｎ１からｎ８までの８個の吐出口（８ノズル）を有しており、各吐出口から約５ｐｌのインクを吐出する。また、ブラックインクを吐出する記録ヘッド４０２は、１インチ当たりＮ＝６００個の密度で（６００ｄｐｉ）ｎ１からｎ１６までの１６個の吐出口（１６ノズル）を有しており、各吐出口から約３０ｐｌのインクを吐出する。このように、記録ヘッド４０１と記録ヘッド４０２は同じ密度で吐出口を配置したものであり、その配置する吐出口の数が異なることで、それぞれの記録ヘッドにより１回の走査で記録可能な領域の幅（ここでは吐出口の配列方向に沿った記録幅）が異なっている。
【００３１】
なお、図４及び以下で説明する各実施形態に係る図においては、カラーインク用の記録ヘッドとして１つのみを示しているが、記録に用いるカラーインクの種類に対応させて、図の矢印ｘ方向（主走査方向）に複数のカラーインク用ヘッドを搭載するような形態としてもよい。例えば、本発明を一般的に用いられるブラック、イエロー、マゼンタ、シアンの４色のインクを吐出して記録を行うインクジェット記録装置に適用可能する場合、図４示す記録ヘッド４０１を、ｘ方向に３個備えた構成となる。また、各カラーインクについて、濃度を異ならせたインクを複数用いる場合には、その構成に応じて複数の記録ヘッドを搭載した構成としても良い。
【００３２】
また、図４及び以下で説明する各実施形態に係る図においては、各記録ヘッド内に示した丸印は吐出口を示しており、黒く塗った丸印は該当する実施形態で記録に使用する吐出口であり、白い丸印は記録に使用しない吐出口を表している
従って、第１の実施形態においては、図４に示すように、カラーインク用の記録ヘッド４０１の、ｎ１〜ｎ８の８個の全吐出口をインク吐出に使用し、ブラックインク用の記録ヘッド４０２のｎ１〜ｎ１６の１６個の全吐出口をインク吐出に使用する。
【００３３】
また、２つの記録ヘッドの位置関係は、図中の矢印ｙで示す副走査方向については、同じ番号の吐出口が同じ位置となるように配置され、図中の矢印ｘで示す主走査方向については、所定の間隔をおいて配置されている。なお、矢印ｙは、図中左下に示す矢印（図１において方向を示す矢印と同様の矢印）Ｙに沿った方向であり、矢印ｘについても、図中左下に示す矢印Ｘに沿った方向である。
【００３４】
また、本実施形態で使用したブラックインクのブリストウ法におけるＫａ値は、１．０［ｍｌ・ｍ−２・ｍｓｅｃ−１／２］、カラーインクのブリストウ法におけるＫａ値は、７．０［ｍｌ・ｍ−２・ｍｓｅｃ−１／２］であり、ブラックインクの方がカラーインクより浸透性が低い特性となっている。
【００３５】
以下、本発明の第１の実施形態における記録方法を、図８の各走査での記録の様子を示す図を参照して説明する。
【００３６】
まず、１回目の主走査（以下、１走査目と称する）として、ブラックインク用の記録ヘッド４０２の全１６ノズルを用いて、ブラックの記録領域８ａを矢印の往路方向に１パスで記録する。続いて、記録ヘッドを記録開始位置へ戻すべく復路方向に移動させ、副走査方向には記録媒体を搬送せずに２回目の主走査での記録を行う。
【００３７】
２走査目では、カラーインク用の記録ヘッド４０１の全８ノズルを用いて、図８のカラーの記録領域８ｂを矢印の往路方向に１パスで記録する。続いて、記録ヘッドを記録開始位置へ戻すべく復路方向に移動させ、副走査方向に記録媒体を、８ｄｏｔ／６００ｄｐｉ分の距離だけ紙送り用モータを駆動して搬送する。
【００３８】
３走査目では、２走査目と同じくカラーインク用の記録ヘッド４０１の全８ノズルを用いて、図８のカラーの記録領域８ｃを矢印の往路方向に１パスで記録する。続いて、記録ヘッドを記録開始位置へ戻すべく復路方向に移動させ、副走査方向に記録媒体を、８ｄｏｔ／６００ｄｐｉ分の距離だけ紙送り用モータを駆動して搬送する。
【００３９】
４走査目では、１走査目と同じくブラックインク用の記録ヘッド４０２の全１６ノズルを用いて、図８のブラックの記録領域８ｄを矢印の往路方向に１パスで記録する。続いて、続いて、記録ヘッドを記録開始位置へ戻すべく復路方向に移動させ、副走査方向には記録媒体を搬送せずに５走査目の記録を行う。
【００４０】
５走査目では、２走査目と同じくカラーインク用の記録ヘッド４０１の全８ノズルを用いて、図８のカラーの記録領域８ｅを矢印の往路方向に１パスで記録する。
【００４１】
以上のように本実施形態では、ブラックインク用の記録ヘッドの吐出口列の長さが、カラーインク用の記録ヘッドの吐出口列の長さの２倍、すなわちブラックインク用の記録ヘッドの記録幅がカラーインク用記録ヘッドの記録幅の２倍であり、記録媒体が搬送される際に先頭側から同じ番号の吐出口が並ぶように配列された２つの記録ヘッドを用い、ブラックインク用の記録ヘッドによる１回の記録走査で記録される領域と、カラーインク用の記録ヘッドによる２回の記録走査で記録される領域とが同じ大きさとなるように構成されている。そして、ブラックの領域の記録と、同じ大きさのカラーの領域の記録とを交互に行う。各主走査ではブラック又はカラーのいずれかのインクでの記録しか行われない。本実施形態では、ブラックの記録、カラーの記録、カラーの記録の順に記録を行う。
【００４２】
本実施形態においては、ブリストウ法によるＫａ値が低いブラックインクを、ブリストウ法によるＫａ値が高いカラーインクより先に記録媒体に記録することで、記録媒体上での浸透性及び定着性が向上し、ブラック領域とカラー領域との間でのインクのにじみも効果的に防止できる。
【００４３】
以上説明したように本実施形態によれば、少なくとも２種類の記録ヘッドからの記録を別の主走査で記録するため、ブラックの記録領域とカラーの記録領域とが隣接するような画像に対しても、高速かつ高品位の記録を行うことが可能となる。
【００４４】
（第１の実施形態の変形例）
上記第１の実施形態においては、いずれの主走査も往路方向で記録する片方向記録であったが、偶数の主走査については復路方向で記録する往復記録にすることで、更なる高速化を実現できる。
【００４５】
また、第１の実施形態では、ブラック及びカラー用の記録ヘッドの吐出口の間隔をいずれも６００ｄｐｉとしたが、これに限定するものでは無く、例えば、カラー用の記録ヘッドの吐出口の間隔を１２００ｄｐｉの倍密度として、吐出口列の長さを変えずに２倍の吐出口数を持つような構成としても良い。
【００４６】
また、上記第１の実施形態では、図４に示したようなカラーインク用の記録ヘッド４０１とブラックインク用の記録ヘッド４０２との２つの記録ヘッドを記録に使用する構成としたが、記録ヘッドの構成としてはこれに限定されず、様々な構成が上記第１の実施形態に適用可能である。例えば、図５に示す記録ヘッド５０１のように、カラー用とブラック用との２つの吐出口列を有する一体型の記録ヘッドとして構成されても良い。
【００４７】
また、吐出口列の配置についても、上記の図４に示した配置に限定されるものではなく、図６の（１）及び（２）に示すような、奇数番目の吐出口と偶数番目の吐出口とが異なった直線上に配置される構成としても良い。
【００４８】
図６の（１）に示す構成は、カラー用の記録ヘッド６０１とブラック用の記録ヘッド６０２との２つの記録ヘッドを有しており、各記録ヘッドの偶数番目の吐出口と奇数番目の吐出口とが千鳥状（ジグザグ）に配列された構成となっている。また、図６の（２）に示す構成は、カラーインク用の千鳥状の吐出口列とブラックインク用の千鳥状の吐出口列とを備えた一体型の記録ヘッド６０３を有する構成である。
【００４９】
なお、図６に示すような吐出口列を有する記録ヘッドを用いる際には、奇数の吐出口と偶数の吐出口との距離をｄ［インチ］、記録ヘッドの主走査方向への走査速度をｖ［インチ／秒］とすると、先行する奇数の吐出口に対する駆動信号が後続する偶数の吐出口に対する駆動信号よりも、ｄ／ｖ［秒］だけ早いタイミングで与えられる。
【００５０】
更に、カラー用の記録ヘッドとブラック用の記録ヘッドとの吐出口数の比率についても、上記実施形態では１対２となっているが、図７に示すようにブラック用の記録ヘッド７０２の吐出口数がカラー用の記録ヘッド７０１の吐出口数の２倍より多い構成にも本発明は適用できる。この場合には、ブラック用の記録ヘッド７０２の吐出口のうち、記録に使用する吐出口をｎ３〜ｎ１８までの１６個とし、ｎ１、ｎ２及びｎ１９、ｎ２０吐出口を記録に使用しないようにすれば、記録に使用される吐出口の構成としては、図４に示した記録ヘッドの構成と同様となる。
【００５１】
また、図１２に示す記録ヘッドの構成は、１２００ｄｐｉの密度で１６ノズル配置したカラーインク用の記録ヘッド１２０１と、ノズルを６００ｄｐｉの密度で１６ノズル配置したブラックインク用の記録ヘッド１２０２とを有する構成である。このように、カラーインク用記録ヘッドとブラックインク用記録ヘッドに配置するノズルの数が同じであっても、配置する密度が異なることによって１回の主走査で記録される領域の副走査方向の幅が異なる構成であれば、上述した第１の実施形態を適用することが可能である。なお、図１２に示す構成では、ブラックインク用記録ヘッドのノズルピッチがカラーインク用記録ヘッド１２０１のノズルピッチの２倍となった例を示しているが、ノズルピッチは３倍以上異なっていても、第１の実施形態を適用することができる。
【００５２】
このように本発明の第１の実施形態で使用する記録ヘッドの構成としては、ブラックを記録する１回の主走査で記録される領域の副走査方向の高さ（記録に使用されるノズル列の長さ）が、カラーを記録する１回の主走査で記録される領域の副走査方向の高さの２倍となる構成であれば、様々なものが使用できる。
【００５３】
（第２の実施形態）
以下、本発明に係る第２の実施形態について説明する。以下の説明においては、上記第１の実施形態と同様な部分については説明を省略し、本実施形態の特徴的な部分を中心に説明する。
【００５４】
本発明の第２の実施形態で使用する記録ヘッドの構成は上記第１の実施形態で説明した図４に示すものと同様であるが、第２の実施形態では記録の方法が第１の実施形態と異なっている。
【００５５】
第１の実施形態における記録方法を、図９の各走査での記録の様子を示す図を参照して説明する。
【００５６】
まず、１走査目でカラーインク用の記録ヘッド４０１の全８ノズルを用いて、図９のカラーの記録領域９ａを矢印の往路方向に１パスで記録する。続いて、記録ヘッドを記録開始位置へ戻すべく復路方向に移動させ、副走査方向には記録媒体を搬送せずに２走査目の記録を行う。
【００５７】
２走査目では、ブラックインク用の記録ヘッド４０２の全１６ノズルを用いて、図９のブラックの記録領域９ｂを矢印の往路方向に１パスで記録する。続いて、記録ヘッドを記録開始位置へ戻すべく復路方向に移動させ、副走査方向に記録媒体を、８ｄｏｔ／６００ｄｐｉ分の距離だけ紙送り用モータを駆動して搬送する。
【００５８】
その後、３走査目では、１走査目と同じくカラーインク用の記録ヘッド４０１の全８ノズルを用いて、図９のカラーの記録領域９ｃを矢印の往路方向に１パスで記録する。続いて、記録ヘッドを記録開始位置へ戻すべく復路方向に移動させ、副走査方向に記録媒体を、８ｄｏｔ／６００ｄｐｉ分の距離だけ紙送り用モータを駆動して搬送する。
【００５９】
４走査目では、３走査目と同じくカラーインク用の記録ヘッド４０１の全８ノズルを用いて、図９のカラーの記録領域９ｄを矢印の往路方向に１パスで記録する。続いて、記録ヘッドを記録開始位置へ戻すべく復路方向に移動させ、副走査方向には記録媒体を搬送せずに５走査目の記録を行う。
【００６０】
５走査目では、２走査目と同じくブラックインク用の記録ヘッド４０２の全１６ノズルを用いて、図９のブラックの記録領域９ｅを矢印の往路方向に１パスで記録する。
【００６１】
このように本実施形態では、各主走査では、ブラックの記録又はカラーの記録のいずれかを行い、カラーの記録、ブラックの記録、カラーの記録の順に記録を行う。
【００６２】
以上のように本実施形態によれば、少なくとも２種類の記録ヘッドからの記録を別の主走査で記録するため、ブラックの記録領域とカラーの記録領域とが隣接するような画像に対しても、高速な記録を行うことが可能となる。また、ブラック領域とカラー領域とは別の主走査で記録されるので、従来の記録方法と比べて両者の間でのインクのにじみが目立たなくなる。
【００６３】
なお、上記第１の実施形態の変形例と同様に、本実施形態においても偶数の主走査については復路方向で記録する往復記録にすることで、更なる高速化を実現できる。また、本実施形態で使用する記録ヘッドの構成としても、上記第１の実施形態の変形例において説明したような様々な構成のものを使用できる。
【００６４】
（第３の実施形態）
以下、本発明に係る第３の実施形態について説明する。以下の説明においては、上記第１及び第２の実施形態と同様な部分については説明を省略し、本実施形態の特徴的な部分を中心に説明する。
【００６５】
上記第１及び第２の実施形態では、カラー用の記録ヘッドとブラック用の記録ヘッドとの吐出口数の比率が１対２であるが、本実施形態ではこの吐出口数の比率が１対３となっている。
【００６６】
図１０は、本発明の第３の実施形態に係る記録ヘッドの構成を示す図である。図１０に示すように本実施形態ではカラーインク用の記録ヘッド１００１とブラックインク用の記録ヘッド１００２の２つの記録ヘッドを使用する。そして、カラーインク用の記録ヘッド１００１は、１インチ当たりＮ＝６００個の密度で（６００ｄｐｉ）ｎ＝８個の吐出口（８ノズル）を有しており、ブラックインク用の記録ヘッド１００２は、１インチ当たりＮ＝６００個の密度で（６００ｄｐｉ）ｎ＝２４個の吐出口（２４ノズル）を有している。
【００６７】
このような構成の記録ヘッドを用いた本発明の第３の実施形態における記録方法を、図１１の各走査での記録の様子を示す図を参照して説明する。
【００６８】
まず、１走査目でブラックインク用の記録ヘッド１００２の全２４ノズルを用いて、図１１のブラックの記録領域１１ａを矢印の往路方向に１パスで記録する。続いて、記録ヘッドを記録開始位置へ戻すべく復路方向に移動させ、副走査方向には記録媒体を搬送せずに２走査目の記録を行う。
【００６９】
２走査目では、カラーインク用の記録ヘッド１００１の全８ノズルを用いて、図１１のカラーの記録領域１１ｂを矢印の往路方向に１パスで記録する。続いて、記録ヘッドを記録開始位置へ戻すべく復路方向に移動させ、副走査方向に記録媒体を、８ｄｏｔ／６００ｄｐｉ分の距離だけ紙送り用モータを駆動して搬送する。
【００７０】
３走査目では、２走査目と同じくカラーインク用の記録ヘッド１００１の全８ノズルを用いて、図１１のカラーの記録領域１１ｃを矢印の往路方向に１パスで記録する。続いて、記録ヘッドを記録開始位置へ戻すべく復路方向に移動させ、副走査方向に記録媒体を、８ｄｏｔ／６００ｄｐｉ分の距離だけ紙送り用モータを駆動して搬送する。
【００７１】
４走査目では、２、３走査目と同じくカラーインク用の記録ヘッド１００１の全８ノズルを用いて、図１１のカラーの記録領域１１ｄを矢印の往路方向に１パスで記録する。続いて、記録ヘッドを記録開始位置へ戻すべく復路方向に移動させ、副走査方向に記録媒体を、８ｄｏｔ／６００ｄｐｉ分の距離だけ紙送り用モータを駆動して搬送する。
【００７２】
そして、５走査目では、１走査目と同じくブラックインク用の記録ヘッド１００２の全２４ノズルを用いて、図１１のブラックの記録領域１１ｅを矢印の往路方向に１パスで記録する。
【００７３】
以上のように本実施形態では、ブラックインク用の記録ヘッドの吐出口列の長さが、カラーインク用の記録ヘッドの吐出口列の長さの３倍であり、記録媒体が搬送される際に先頭側から同じ番号の吐出口が並ぶように配列された２つの記録ヘッドを用い、ブラックインク用の記録ヘッドによる１回の記録走査で記録される領域と、カラーインク用の記録ヘッドによる３回の記録走査で記録される領域とが同じ大きさとなるように構成されている。そして、ブラックの領域の記録と、同じ大きさのカラーの領域の記録とを交互に行う。各主走査ではブラック又はカラーのいずれかのインクでの記録しか行われない。本実施形態では、ブラックの記録、カラーの記録、カラーの記録、カラーの記録の順に記録を行う。
【００７４】
本実施形態においては、ブリストウ法によるＫａ値が低いブラックインクを、ブリストウ法によるＫａ値が高いカラーインクより先に記録媒体に記録することで、記録媒体上での浸透性及び定着性が向上し、ブラック領域とカラー領域との間でのインクのにじみも効果的に防止できる。
【００７５】
以上説明したように本実施形態によれば、少なくとも２種類の記録ヘッドからの記録を別の主走査で記録するため、ブラックの記録領域とカラーの記録領域とが隣接するような画像に対しても、高速かつ高品位の記録を行うことが可能となる。
【００７６】
なお、上記第１の実施形態の変形例と同様に、本実施形態においても偶数の主走査については復路方向で記録する往復記録にすることで、更なる高速化を実現できる。また、本実施形態で使用する記録ヘッドの構成としても、上記第１の実施形態の変形例において説明したような様々な構成のものを使用できる。
【００７７】
（その他の実施形態）
なお、上記の実施形態では、記録すべき画像に、ブラックインクで記録する領域と、カラーインクで記録する領域とが隣接する部分があるものと想定して、このような部分を高速かつ高品位で記録する方法について説明したが、もちろん、このような部分がない画像については、従来の記録方法で記録するようにしてもよい。このようにするためには、記録すべき画像に、ブラックインクで記録する領域と、カラーインクで記録する領域とが隣接する部分があるか否かを判定する手段を備えるのが好ましい。
【００７８】
以上の実施形態は、特にインクジェット記録方式の中でも、インク吐出を行わせるために利用されるエネルギーとして熱エネルギーを発生する手段（例えば電気熱変換体やレーザ光等）を備え、前記熱エネルギーによりインクの状態変化を生起させる方式を用いることにより記録の高密度化、高精細化が達成できる。
【００７９】
なお、本発明は、複数の機器（例えばホストコンピュータ，インターフェース機器，リーダ，プリンタなど）から構成されるシステムに適用しても、一つの機器からなる装置（例えば、複写機，ファクシミリ装置など）に適用してもよい。また、本発明の目的は、前述した実施形態の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、達成されることは言うまでもない。
【００８０】
この場合、記憶媒体から読出されたプログラムコード自体が前述した実施形態の機能を実現することになり、そのプログラムコードを記憶した記憶媒体は本発明を構成することになる。
【００８１】
プログラムコードを供給するための記憶媒体としては、例えば、フロッピディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００８２】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００８３】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【００８４】
【発明の効果】
以上説明したように本発明によれば、第１のインクを用いた記録と第２のインクを用いた記録が別の走査で行われるので、第１のインクで記録される領域と第２のインクで記録される領域とが隣接する部分においても、２つのインクが記録媒体に定着する前に混ざり合うことが防止される。
【００８５】
従って、異なるインクで記録される領域が隣接するような画像に対しても、高速かつ高品位の記録を行うことが可能となる。
【図面の簡単な説明】
【図１】インクジェット記録装置のプリンタ部の概略構成を示す図である。
【図２】記録ヘッドの吐出口の配列を模式的に示す図である。
【図３】本発明に係るインクジェット記録装置の制御構成を示すブロック図である。
【図４】本発明の第１の実施形態における記録ヘッドの構成を示す図である。
【図５】本発明に適用可能な記録ヘッドの別の構成を示す図である。
【図６】本発明に適用可能な記録ヘッドの別の構成を示す図である。
【図７】本発明に適用可能な記録ヘッドの別の構成を示す図である。
【図８】本発明の第１の実施形態による各走査での記録の様子を示す図である。
【図９】本発明の第２の実施形態による各走査での記録の様子を示す図である。
【図１０】本発明の第３の実施形態における記録ヘッドの構成を示す図である。
【図１１】本発明の第３の実施形態による各走査での記録の様子を示す図である。
【図１２】本発明に適用可能な記録ヘッドの別の構成を示す図である。
【符号の説明】
１０１　インクカートリッジ
１０２、４１　記録ヘッド
１０３　紙送りローラ
１０４　補助ローラ
１０５　給紙ローラ
１０６　キャリッジ
２０１　吐出口
３００　中央制御部（ＣＰＵ）
３０１　ＲＯＭ
３０２　ＲＡＭ
３０３　画像入力部
３０４　画像信号処理部
３０５　バスライン
３０６　操作部
３０７　回復系制御部
３０８　回復系モータ
３０９　ブレード
３１０　キャップ
３１１　ポンプ
３１２　ダイオードセンサ
３１３　記録ヘッド
３１４　ヘッド温度制御回路
３１５　ヘッド駆動制御回路
３１６　キャリッジ駆動制御回路
３１７　紙送り制御回路
【図１】
2004074511.tif 000003
【図２】
2004074511.tif 000004
【図３】
2004074511.tif 000005
【図４】
2004074511.tif 000006
【図５】
2004074511.tif 000007
【図６】
2004074511.tif 000008
【図７】
2004074511.tif 000009
【図８】
2004074511.tif 000010
【図９】
2004074511.tif 000011
【図１０】
2004074511.tif 000012
【図１１】
2004074511.tif 000013
【図１２】
2004074511.tif 000014